(57)【要約】【課題】テンプルの外観を容易に変更することが可能な眼鏡フレームを提供することを課題とする。【解決手段】ヨロイ２と、該ヨロイ２に対して回動可能に連結されたテンプル３と、該テンプル３に着脱自在に取り付けられる筒状の装飾部材４とを備え、装飾部材４は切り欠き部４１を具備し、該切り欠き部４を通じてテンプル３の基端部３１を内部に挿脱することにより、テンプル３に着脱自在とされており、装飾部材４は、テンプル３を開いた状態に於いて、ヨロイ２の先端部２２ａが切り欠き部４１を通じて内部に挿入される一方、テンプル３を閉じた状態に於いて、ヨロイ２の先端部２２ａが切り欠き部４１を通じて外部に抜け出るように、テンプル３の基端部３１を超えてヨロイ２の先端部２２ａ側に延出した状態でテンプル３に取り付けられる眼鏡フレーム１を提供する。【選択図】  図１
0003120130.tif 000002
【実用新案登録請求の範囲】
【請求項１】
ヨロイと、該ヨロイに対して回動可能に連結されたテンプルと、該テンプルに着脱自在に取り付けられる筒状の装飾部材とを備え、
前記装飾部材は、軸方向に沿って形成された切り欠き部を具備し、該切り欠き部を通じて前記テンプルの基端部を内部に挿脱することにより、前記テンプルに着脱自在とされており、
前記装飾部材は、前記テンプルを開いた状態に於いて、前記ヨロイの先端部が前記切り欠き部を通じて内部に挿入される一方、前記テンプルを閉じた状態に於いて、前記ヨロイの先端部が前記切り欠き部を通じて外部に抜け出るように、前記テンプルの基端部を超えて前記ヨロイの先端部側に延出した状態で前記テンプルに取り付けられることを特徴とする眼鏡フレーム。
【請求項２】
前記装飾部材は、前記切り欠き部の幅が変化し得るように可撓性を有し、
前記装飾部材が前記テンプルに取り付けられていない状態に於いて、前記切り欠き部の幅は、前記テンプルの基端部の幅及び前記ヨロイの先端部の幅よりも小さく形成されていることを特徴とする請求項１に記載の眼鏡フレーム。
【請求項３】
前記テンプルは、該テンプルに取り付けられた前記装飾部材の先端部側への移動を阻止する係止部を具備することを特徴とする請求項１又は２に記載の眼鏡フレーム。
【請求項４】
前記切り欠き部は、前記テンプルの基端部を挿脱するための第１切り欠き部と、前記ヨロイの先端部を挿脱するための第２切り欠き部とを具備し、
前記第１切り欠き部と前記第２切り欠き部とは、前記装飾部材の周方向について異なる位置に形成されていることを特徴とする請求項１から３の何れかに記載の眼鏡フレーム。
【考案の詳細な説明】
【技術分野】
【０００１】
本考案は、テンプルの外観を変更することが可能な眼鏡フレームに関する。
【背景技術】
【０００２】
近年の眼鏡に対するファッション性、デザイン性等の装飾性重視の傾向により、テンプル、ヨロイ、リム等の部品に様々な装飾性を施した眼鏡が商品化されている。特に、テンプルは、眼鏡の側面視において目立ち、眼鏡全体の外観に大きく影響を及ぼすため、一人の使用者が、テンプルが異なる複数の眼鏡を所有し、所有する眼鏡の中から、ＴＰＯ（時（Time）、場所（Place）、場合（Occasion））に最も適した眼鏡を選択して使用することが多く見られる。
【０００３】
しかし、ＴＰＯに最も適した眼鏡を選択して使用するには、テンプルが異なる眼鏡をそれぞれ別個に購入する必要があるため費用が嵩む他、一日の間で各眼鏡を使い分けるような場合には、テンプルが異なる複数の眼鏡を携帯しなければならず不便であるという問題もある。このような問題は、例えば、テンプルに対して装飾部材を取り替え可能とすることで解決することが可能である。
【０００４】
ところで、テンプルへの装飾部材の取り付けは、ネジ止めや、装飾部材をテンプルに固定するための専用の止め具などを用いて行われている（特許文献１参照）。
【特許文献１】特許第３１７１３０９号公報
【考案の開示】
【考案が解決しようとする課題】
【０００５】
しかし、装飾部材を取り付けるために用いられるネジや止め具は小さく、ネジを緩めたり締め直したり、或いは止め具を外したり留めたりして装飾部材を取り替える作業は非常に手間が掛かる。
【０００６】
本考案は、手間を掛けずに、装飾部材の取り替えを容易に行え、テンプルの外観を容易に変更することが可能な眼鏡フレームを提供することを課題とする。  
【課題を解決するための手段】
【０００７】
前記課題を解決するべく、本考案は、実用新案登録請求の範囲の請求項１に記載の如く、ヨロイと、該ヨロイに対して回動可能に連結されたテンプルと、該テンプルに着脱自在に取り付けられる筒状の装飾部材とを備え、前記装飾部材は、軸方向に沿って形成された切り欠き部を具備し、該切り欠き部を通じて前記テンプルの基端部を内部に挿脱することにより、前記テンプルに着脱自在とされており、前記装飾部材は、前記テンプルを開いた状態に於いて、前記ヨロイの先端部が前記切り欠き部を通じて内部に挿入される一方、前記テンプルを閉じた状態に於いて、前記ヨロイの先端部が前記切り欠き部を通じて外部に抜け出るように、前記テンプルの基端部を超えて前記ヨロイの先端部側に延出した状態で前記テンプルに取り付けられる眼鏡フレームを提供するものである
【０００８】
本考案に係る眼鏡フレームによれば、テンプルに着脱自在に取り付けられる筒状の装飾部材が、軸方向に沿って形成された切り欠き部を具備し、該切り欠き部を通じてテンプルの基端部を内部に挿脱することにより、テンプルに着脱自在とされている。より具体的に説明すれば、装飾部材をその切り欠き部がテンプルの基端部に対向するように配置し、装飾部材をテンプルの基端部に向けて相対的に移動させれば、切り欠き部を通じてテンプルの基端部が内部（装飾部材の内部）に挿入され、これにより装飾部材がテンプルに取り付けられることになる。一方、上記のようにしてテンプルに取り付けられた装飾部材を、該装飾部材の切り欠き部が設けられた側と反対側に相対的に引っ張れば、切り欠き部を通じてテンプルの基端部が内部から外部（装飾部材の外部）に抜け出て、これにより装飾部材がテンプルから取り外されることになる。よって、本考案によれば、ネジ止めや止め具などを使用することなく、テンプルに対する装飾部材の取り付け及び取り外しを行うことができる。従って、装飾部材の取り替えが容易であり、装飾部材の取り替えによってテンプルの外観を容易に変更することが可能である。
【０００９】
さらに、本考案に係る眼鏡フレームによれば、装飾部材は、テンプルを開いた状態（眼鏡フレームを装着するために外側に回動された状態）に於いて、ヨロイの先端部が切り欠き部を通じて内部に挿入される一方、テンプルを閉じた状態（内側に折り畳まれた状態）に於いて、ヨロイの先端部が切り欠き部を通じて外部に抜け出るように、テンプルの基端部を超えてヨロイの先端部側に延出した状態でテンプルに取り付けられる。より具体的に説明すれば、装飾部材は、テンプルに取り付けられた状態に於いて切り欠き部がテンプルの内側に位置するように、テンプルの基端部の外側から且つテンプルの基端部を超えてヨロイの先端部側に延出（切り欠き部もヨロイの先端部側に延出）した状態でテンプルに取り付けられる。これにより、テンプルを閉じた状態から開いた状態に遷移させれば、テンプルに連動する装飾部材の切り欠き部がヨロイの先端部に外側から当接し、さらには該切り欠き部を通じてヨロイの先端部が装飾部材の内部に挿入されることになる。一方、テンプルを開いた状態から閉じた状態に遷移させれば、装飾部材がテンプルに連動してヨロイの先端部の外側に移動し、装飾部材の切り欠き部を通じてヨロイの先端部が装飾部材の外部に抜け出ることになる。従って、テンプルを開いた状態に於いては、ヨロイの先端部とテンプルの基端部の双方が装飾部材の内部に挿入されることになり、テンプルがそれ以上外側に回動することが阻止される一方、テンプルを閉じた状態に於いては、ヨロイの先端部が装飾部材の外部に抜け出るため、閉じる動作を阻害することもない。よって、本考案によれば、テンプルが過度に外側に開くことが阻止され、テンプルが変形したり、破損したりすることを防止することも可能である。
【００１０】
なお、本考案における「基端部」の語句は、眼鏡フレーム装着時において、各部材の前方側（眼の側）に位置する部分を意味し、「先端部」の語句は、各部材の後方側（耳の側）に位置する部分を意味する。
【００１１】
好ましくは、実用新案登録請求の範囲の請求項２に記載の如く、前記装飾部材は、前記切り欠き部の幅が変化し得るように可撓性を有し、前記装飾部材が前記テンプルに取り付けられていない状態に於いて、前記切り欠き部の幅は、前記テンプルの基端部の幅及び前記ヨロイの先端部の幅よりも小さく形成される。
【００１２】
かかる好ましい構成によれば、装飾部材がテンプルに取り付けられていない状態に於いて、装飾部材の切り欠き部の幅がテンプルの基端部及びヨロイの先端部の幅よりも小さく形成されていると共に、切り欠き部の幅が変化し得るように装飾部材が可撓性を有する。従って、テンプルの基端部への装飾部材の取り付けの際には、テンプルの基端部に押圧されて、切り欠き部の幅が拡がるように装飾部材が変形する一方、テンプルの基端部が装飾部材の内部に挿入された後には、前記押圧力が解除されて切り欠き部の幅が元に戻り、テンプルの基端部から装飾部材が抜け落ちることが防止される。また、ヨロイの先端部への装飾部材の挿入の際には、ヨロイの先端部に押圧されて、切り欠き部の幅が拡がるように装飾部材が変形する一方、ヨロイの先端部が装飾部材の内部に挿入された後には、前記押圧力が解除されて切り欠き部の幅が元に戻り、ヨロイの先端部から装飾部材が抜け出ることが防止される。
【００１３】
なお、本考案における「切り欠き部の幅」とは、装飾部材の軸方向と直交する方向の切り欠き部の寸法を意味する。また、「テンプルの基端部の幅」とは、装飾部材の内部に対して挿脱されるテンプル基端部の寸法であって、挿脱される際に前記切り欠き部の幅方向に対応する方向の寸法を意味する。また、「ヨロイの先端部の幅」とは、装飾部材の内部に対して挿脱されるヨロイの先端部の寸法であって、挿入される際に前記切り欠き部の幅方向に対応する方向の寸法を意味する。さらに、「切り欠き部の幅は、テンプルの基端部の幅及びヨロイの先端部の幅よりも小さく形成されている」とは、テンプルの基端部が挿脱される部位における切り欠き部の幅がテンプルの基端部の幅よりも小さく形成されると共に、ヨロイの先端部が挿脱される部位における切り欠き部の幅がヨロイの先端部の幅よりも小さく形成されることを意味し、必ずしも切り欠き部の幅が装飾部材の軸方向に沿って一定の値に形成されることを意味するものではない。
【００１４】
特に好ましくは、実用新案登録請求の範囲の請求項３に記載の如く、前記テンプルは、該テンプルに取り付けられた前記装飾部材の先端部側への移動を阻止する係止部を具備する構成とされる。
【００１５】
かかる好ましい構成によれば、テンプルが係止部を具備することで、テンプルに取り付けられた装飾部材の先端部側への移動が阻止され、装飾部材を安定した状態でテンプルに取り付けることが可能である。
【００１６】
また、特に好ましくは、実用新案登録請求の範囲の請求項４に記載の如く、前記切り欠き部は、前記テンプルの基端部を挿脱するための第１切り欠き部と、前記ヨロイの先端部を挿脱するための第２切り欠き部とを具備し、前記第１切り欠き部と前記第２切り欠き部とは、前記装飾部材の周方向について異なる位置に形成されている構成とされる。
【００１７】
かかる好ましい構成においては、テンプルの基端部が装飾部材の内部に挿入され、この状態でテンプルが開かれて、テンプルの基端部とヨロイの先端部とが装飾部材の内部に挿入された状態では、第１の切り欠き部の方向からテンプルが装飾部材の外部に抜け出ようとしても、第１切り欠き部と第２切り欠き部とは装飾部材の周方向について異なる位置に形成されているため、ヨロイが装飾部材の内部から抜け出ることができない。また、同様に、第２の切り欠き部の方向からヨロイが装飾部材の外部に抜け出ようとしても、テンプルが装飾部材の内部から抜け出ることができない。よって、かかる好ましい構成によれば、装飾部材を繰り返し使用すること等により第１切り欠き部及び第２の切り欠き部の幅が例え拡がったとしても装飾部材がテンプル及びヨロイから抜け落ちることを防ぐことができる。
【考案の効果】
【００１８】
本考案の眼鏡フレームは、装飾部材を容易に取り替えることができるので、装飾部材の取り替えによって、テンプルの外観を容易に変更することが可能であると共に、テンプルが過度に外側に開くことを阻止でき、テンプルの変形や破損を防止することもできる。
【考案を実施するための最良の形態】
【００１９】
以下、添付図面を参照しつつ、本考案の一実施形態に係る眼鏡フレームについて説明
する。
【００２０】
図１は、レンズが取り付けられた状態の本実施形態に係る眼鏡フレームの外観図であり、図１（ａ）は側面図を示し、図１（ｂ）は平面図を示す。図１に示すように、本実施形態に係る眼鏡フレーム１は、左右一対のレンズＬを連結するブリッジ部５と、左右一対の各レンズＬの外側端部に取り付けられた左右一対のヨロイ２と、左右一対の各ヨロイ２に対して回動可能に連結された左右一対のテンプル３と、左右一対の各テンプル３に着脱自在に取り付けられる筒状の装飾部材４と、ブリッジ部５に取り付けられた鼻パット６とを備えるいわゆるツーポイントタイプの眼鏡フレームとして構成されている。
【００２１】
図２は、図１に示す状態から装飾部材４が取り外された眼鏡フレーム１の外観図であり、図２（ａ）は側面図を示し、図２（ｂ）は平面図を示す。図２に示すように、ヨロイ２は、平面視略Ｌ字状に形成された細長部材によって形成されている。この細長部材のＬ字の一辺に相当する部分２１の端部は、レンズＬの外側端部に取り付けられ、この細長部材のＬ字の他辺に相当する部分（以下、他辺部２２）は、先端側に延出するように配置されている。そして、かかる他辺部２２の先端部２２ａの内側には、丁番構造７が取り付けられている。
【００２２】
テンプル３は、丁番構造７から先端側に延出される細長部材によって形成され、丁番構造７によってヨロイ２に対して回動可能に連結されている。テンプル３（細長部材）の基端部３１には、丁番構造７が内側に取り付けられている。テンプル３の基端部３１の先端側には、テンプル３に取り付けられた装飾部材４の先端部側への移動を阻止する係止部３２が形成されている。本実施形態では、この係止部３２は、細長部材の基端部３１の先端側と連接する部分を拡径することによって形成されている。そして、かかる細長部材の先端部３３は、使用者の耳の後部の形状に対応した形状に形成されている。
【００２３】
図３は、装飾部材４をテンプル３に取り付けた状態のテンプル３の基端部３１及びヨロイ２付近の拡大図であり、図３（ａ）はテンプル３を閉じた状態を示し、図３（ｂ）はテンプル３を開いた状態を示す。図３に示すように、装飾部材４は、軸方向（長手方向）がテンプル３の基端部３１より長くなるように形成されている。従って、装飾部材４の軸方向の一端を係止部３２に当接させて基端部３１に取り付けると、装飾部材４の軸方向の他端が基端部３１を超えて、ヨロイ２の先端部２２ａ側に延出する。
【００２４】
図４は、装飾部材４の外観図であり、図４（ａ）は正面図を示し、図４（ｂ）は図４（ａ）の矢印Ｘ方向から見た装飾部材４の側面図を示す。図４に示すように、装飾部材４は、筒状に形成されており、軸方向に沿って軸方向全体に亘って切り欠き部４１が形成されている。装飾部材４は、当該切り欠き部４１を通じてテンプル３の基端部３１及びヨロイ２の先端部２２ａを内部に挿入したり、内部から外部に抜け出させたりすることが可能となっている。装飾部材４は、この切り欠き部４１を通じてテンプル３の基端部３１を内部に挿入したり、内部から外部に抜け出させたりすることによって、テンプル３に着脱自在とされている。
【００２５】
装飾部材４は、切り欠き部４１の幅が変化し得るように可撓性を有している。切り欠き部４１の幅は、装飾部材４の軸方向と直交する方向の切り欠き部４１の寸法を意味する。切り欠き部４１の幅は、装飾部材４がテンプル３に取り付けられていない状態に於いて、全体に亘って、テンプル３の基端部３１及びヨロイ２の他辺部２２の先端部（ヨロイ２の先端部）２２ａの幅よりも小さく形成されている。テンプル３の基端部３１の幅とは、切り欠き部４１の幅方向に対応する方向のテンプル３の基端部３１の寸法を意味し、本実施形態では、テンプル３を構成する細長部材の基端部３１を形成する部分の長手方向と直交する方向の寸法がこれに相当する。一方、ヨロイ２の先端部２２ａの幅とは、切り欠き部４１の幅方向に対応する方向のヨロイ２の先端部２２ａの寸法を意味し、本実施形態では、他辺部２２の長手方向と直交する方向の寸法がこれに相当する。
【００２６】
なお、図４（ａ）に示すように、本実施形態では、切り欠き部４１の幅は、一定ではなく、テンプル３の基端部３１が挿脱される切り欠き部４１の部位と、ヨロイ２の先端部２２ａが挿脱される切り欠き部４１の部位とで異なっている。具体的には、本実施形態においては、テンプル３の基端部３１が挿脱される切り欠き部４１の部位は、装飾部材４の軸方向の一端を係止部３２に当接させて装飾部材４を基端部３１に取り付けたときに、基端部３１から延出しない部位である。一方、ヨロイ２の先端部２２ａが挿入される切り欠き部４１の部位は、装飾部材４の軸方向の一端を係止部３２に当接させて基端部３１に取り付けたときに、基端部３１を超えてヨロイ２の先端部２２ａ側に延出する部位（以下、延出部位という）である。本実施形態における切り欠き部４１の幅は、具体的には、テンプル３の基端部３１が挿入される部位における幅Ｗ１が延出部位におけるの幅Ｗ２よりも小さく形成されている。なお、装飾部材４の材質は、切り欠き部４１の幅が変化し得るように可撓性を有する限りにおいて限定されるものでなく、プラスチックなどを使用することができる。
【００２７】
以上の構成の装飾部材４をテンプル３に取り付ける方法の一例を説明する。まず。図３（ａ）に示すように、まず、テンプル３を閉じる。そして、装飾部材４をテンプル３の外側に移動させ、切り欠き部４１をテンプル３の基端部３１に対向させ、装飾部材４の軸方向の一端側を係止部３２側に向けて、装飾部材４をテンプルの基端部３１側（矢印Ｙ方向）に移動させる。矢印Ｙ方向に移動させると、テンプル３の基端部３１が装飾部材４に当接する。上述のように、装飾部材４が可撓性を有し、切り欠き部４１の幅が、テンプル３の基端部３１の幅よりも小さく形成されているため、テンプル３の基端部３１が装飾部材４に当接すると、装飾部材４は、テンプル３の基端部３１に押圧されて、切り欠き部４１の幅Ｗ１が拡がるように変形する。切り欠き部４１の幅Ｗ１が拡がると、テンプル３の基端部３１が切り欠き部４１を通じて装飾部材４の内部に挿入され、切り欠き部４１がテンプルの基端部３１の内側に移動する。テンプル３の基端部３１が装飾部材４の内部に挿入されると、前記押圧力が解除されて、切り欠き部４１の幅Ｗ１が元に戻る。このようにテンプル３の基端部３１を装飾部材４の内部に挿入させると、装飾部材４を係止部３２に沿って移動させて、装飾部材４の軸方向の一端側を係止部３２に当接させる。これにより、装飾部材４がテンプル３に取り付けられたことになる。
【００２８】
以上のように、テンプル３の基端部３１を装飾部材４の切り欠き部４１に通じさせるには、装飾部材４を変形させて、切り欠き部４１の幅Ｗを拡げる必要があるため、本実施形態に係る眼鏡フレーム１は、テンプル３に取り付けられた装飾部材４がテンプル３から抜け落ちることを防止することができる。
【００２９】
また、装飾部材４の軸方向の一端側を係止部３２に当接させると、装飾部材４の先端側に係止部３２が位置し、そして、装飾部材４が拡径された係止部３２を超えて先端部３３側に移動することは困難であるため、装飾部材４が先端部３３側に移動することが阻止され、装飾部材４を安定した状態でテンプル３に取り付けることが可能である。
【００３０】
上記したように、装飾部材４をテンプル３に取り付けると、装飾部材４の軸方向の他端側は、テンプル３の基端部３１を超えてヨロイ２の先端部２２ａ側に延出する。図３（ｂ）に示すように、装飾部材４をテンプル３に取り付けた状態で、テンプル３を開くと、装飾部材４がテンプル３に連動し、装飾部材４のヨロイ２の先端部２２ａ側に延出した部分の内側がヨロイ２の先端部２２ａの外側に移動し、その後ヨロイ２の先端部２２ａと当接する。装飾部材４を上記した方法でテンプル３に取り付けると、切り欠き部４１がテンプル３の基端部３１の内側に位置しており、また、延出部位における切り欠き部４１の幅Ｗ２がヨロイ２の先端部２２ａの幅よりも小さく形成されている。そのため、ヨロイ２の先端部２２ａが装飾部材４のヨロイ２の先端部２２ａ側に延出した部分の内側に当接すると、装飾部材４がヨロイ２の先端部２２ａによって押圧されて変形し、切り欠き部４１の延出部位の幅Ｗ２が拡がる。延出部位の幅Ｗ２が拡がると、ヨロイ２の先端部２２ａが切り欠き部４１を通じて装飾部材４の内部に挿入される。ヨロイ２の先端部２２ａが装飾部材４の内部に挿入されると、前記押圧力が解除され、延出部位の幅Ｗ２が元に戻る。これにより、ヨロイ２の先端部２２ａ及びテンプル３の基端部３１が装飾部材４で覆われ、装飾部材４によって眼鏡フレーム１のヨロイ２及びテンプル３に装飾性が付与される。
【００３１】
以上のように、ヨロイ２の先端部２２ａを装飾部材４の切り欠き部４１に通じさせるには、装飾部材４を変形させて、切り欠き部４１の幅Ｗ２を拡げる必要があるため、テンプル３を開いた状態においては、ヨロイ２の先端部２２ａからも装飾部材４が抜け落ち難くなる。従って、テンプル３を開いた状態では、装飾部材４がテンプル３から脱落することがより一層防止される。
【００３２】
また、テンプル３を開くと、ヨロイ２の先端部２２ａ及びテンプル３の基端部３１の両方が装飾部材４の内部に挿入されるため、装飾部材４によってテンプル３がそれ以上外側に回動することが阻止される。よって、本実施形態に係る眼鏡フレーム１によれば、テンプル３が過度に外側に開くことが阻止され、テンプル３が変形したり、破損したりすることを防止することも可能である。
【００３３】
一方、図３（ｂ）に示す状態からテンプル３を閉じると、装飾部材４がテンプル３に連動し、装飾部材４の内側に位置する切り欠き部４１からヨロイ２の先端部２２ａが抜け出ようとし、延出部位の幅Ｗ２がヨロイ２の先端部２２ａによって拡げられる。延出部位の幅Ｗ２が拡がると、ヨロイ２の先端部２２ａが切り欠き部４１を通じて装飾部材４の外部に抜け出る。よって、本実施形態の眼鏡フレーム１によれば、テンプル３を閉じる動作においては、ヨロイ２の先端部２２ａが切り欠き部４１を通じて装飾部材４の外部に抜け出るため、テンプル３を閉じる動作を阻害されることがない。
【００３４】
以上に説明したように、テンプル３の開閉が行われる度に、延出部位の幅Ｗ２が拡げられて、ヨロイ２の先端部２２ａの挿脱が行われる。従って、装飾部材４には、テンプル３の開閉の度に応力が掛かる。テンプル３の開閉動作は頻繁に行われ、このため、装飾部材には、頻繁に応力が掛かる恐れがある。本実施形態においては、延出部位の幅Ｗ２が、テンプル３の基端部３１が挿入される部位における幅Ｗ１よりも大きく形成され、テンプル３の開閉の際に装飾部材４に掛かる応力が低減されている。よって、本実施形態に係る眼鏡フレーム１においては、テンプル３の開閉が頻繁に行われても、装飾部材４が破損することが防止されている。
【００３５】
装飾部材４をテンプル３から取り外すときは、図３（ａ）に示すように、テンプル３を閉じて、ヨロイ２の先端部２２ａを装飾部材４の内部から抜け出させ、その後、切り欠き部４１が設けられた側と反対の方向に装飾部材４を引っ張る。このように引っ張ると、テンプル３の基端部３１によって切り欠き部４１の幅Ｗ１が拡げられ、切り欠き部４１を通じてテンプル３の基端部３１が装飾部材４の外部に抜け出る。このように本実施形態に係る眼鏡フレーム１においては、切り欠き部４１を通じてテンプル３の基端部３１を装飾部材４に挿脱させることで、テンプル３に対する装飾部材４の取り付け及び取り外しを行うことができる。よって、本実施形態に係る眼鏡フレーム１によれば、ネジ止めや止め具などを使用することなく、テンプル３に対する装飾部材４の取り付け及び取り外しを行うことができる。従って、装飾部材４の取り替えが容易であり、装飾部材４の取り替えによってテンプル３の外観を容易に変更することが可能である。
【００３６】
本実施形態に係る眼鏡フレーム１は、ツーポイントタイプに構成されているが、本考案が適用される眼鏡フレームは、ツーポイントタイプの眼鏡フレームに限定されるものでなく、ワンポイントタイプやスリーポイントタイプなどのリムの無いタイプや、或いはリムを有するタイプの眼鏡フレームにも適用することが可能である。
【００３７】
また、本実施形態に係る眼鏡フレーム１においては、係止部３２の径の大きさは、基端部３１より大きい限りにおいて限定されるものでないが、装飾部材４の厚みと同じ寸法だけ基端部３１に対して拡径された径であることが好ましい。これは、装飾部材４の厚みと同じ寸法だけ拡径すると、テンプル３の基端部３１に装飾部材４を取り付けると、係止部３２と装飾部材４との外縁が直線状に形成され、眼鏡フレーム１のデザイン性を向上させることができるためである。    
【００３８】
＜切り欠き部の変形例＞
切り欠き部４１の好ましい構成として、次の構成を挙げることができる。なお、以下では、上記実施形態で説明した部材に関する説明は省略する場合がある。図５は、かかる好ましい構成の切り欠き部４１を具備する装飾部材４を示す図であり、図５（ａ）は正面図を示し、図５（ｂ）は当該装飾部材４のテンプル３に対する好ましい取り付け状態を示す。図５（ａ）に示すように、かかる好ましい構成の切り欠き部４１は、テンプル３の基端部３１を挿脱するための第１切り欠き部４１ａと、ヨロイ２の先端部２２ａを挿脱するための第２切り欠き部４１ｂとを具備し、第１切り欠き部４１ａと第２切り欠き部４１ｂとは、装飾部材４の周方向について異なる位置に形成されている。
【００３９】
本変形例においては、第１切り欠き部４１ａと第２切り欠き部４１ｂとは装飾部材４の軸方向に沿って形成され、第１切り欠き部４１ａは、装飾部材４の軸方向の一端側に、第２切り欠き部４１ｂは、装飾部材４の軸方向の他端側に形成されている。第１切り欠き部４１ａの幅は、テンプル３の基端部３１の幅より小さく、第２切り欠き部４１ｂの幅は、ヨロイ２の先端部２２ａの幅より小さく形成されている。第１切り欠き部４１ａと第２切り欠き部４１ｂとの幅の関係は、特に限定されるものでないが、上記実施形態と同様の理由により、ヨロイ２の先端部２２ａが挿脱される第２切り欠き部４１ｂの幅の方が大きいことが好ましい。また、第１切り欠き部４１ａ及び第２切り欠き部４１ｂの軸方向の長さは、特に限定されるものでない。
【００４０】
本変形例の切り欠き部４１を具備する装飾部材４をテンプル３に取り付ける方法の一例を説明する。図６は、この取り付け方法、及び、テンプル３を開く際の手順を説明するための図であり、図６（ａ）はこの取り付け方法を示し、図６（ｂ）及び（ｃ）はテンプル３を開く際の手順を示す。まず、図６（ａ）に示すように、テンプル３を閉じる。そして、装飾部材４をテンプル３の外側に移動させ、第１切り欠き部４１ａをテンプル３の基端部３１に対向させ、第１切り欠き部４１ａを係止部３２側に、第２切り欠き部をヨロイ２の先端部２２ａ側に向けて、装飾部材４をテンプル３の基端部３１側（矢印Ｚ方向）に移動させる。矢印Ｚ方向に移動させると、上記実施形態と同様に、テンプル３の基端部３１は、第１切り欠き部４１ａの幅を拡げて、第１切り欠き部４１ａを通じて装飾部材４の内部に挿入されて、第１切り欠き部４１ａがテンプルの基端部３１の内側に移動する。このように、テンプル３の基端部３１を装飾部材４の内部に挿入させると、装飾部材４を係止部３２に沿って移動させ、装飾部材４の軸方向の一端側を係止部３２に当接させる。
【００４１】
以上のように、装飾部材４をテンプル３に取り付けると、装飾部材４の軸方向の他端側に形成された第２切り欠き部４１ｂは、テンプル３の基端部３１を超えてヨロイ２の先端部２２ａ側に延出する。このように、テンプル３に装飾部材４が取り付けられた状態で、テンプル３を開く場合は、その前に、装飾部材４を回転させて、第２切り欠き部４１ｂをテンプル３の基端部３１の内側に位置させる（図６（ｂ）参照）。このように、第２切り欠き部４１ｂをテンプル３の内側３１に位置させると、テンプル３を開いたときに、装飾部材４の内側がヨロイ２の先端部２２ａの外側に移動し、第２切り欠き部４１ｂを通じてヨロイ２の先端部２２ａが装飾部材４の内部に挿入される（図６（ｃ）参照）。
【００４２】
図７は、図６（ｃ）の矢印Ｔ方向から見た、本変形例の切り欠き部４１を具備する装飾部材４が取り付けられたテンプル３の断面図である。図７に示すように、テンプル３の基端部３１とヨロイ２の先端部２２ａとが装飾部材４の内部に挿入された状態において、第１の切り欠き部４１ａの方向からテンプル３の基端部３１が装飾部材４の外部に抜け出ようとしても、第１切り欠き部４１ａと第２切り欠き部４１ｂとは装飾部材４の周方向について異なる位置に形成されているため、ヨロイ２の先端部２２ａが装飾部材４の内部から抜け出ることができない。よって、本変形例の切り欠き部４１を具備する装飾部材４によれば、装飾部材４をテンプル３に対して取り付け及び取り外しを繰り返し行うこと等によって、第１切り欠き部４１ａの幅が拡がっても、装飾部材４がテンプル３から抜け落ちることを防ぐことができる。同様に、第２の切り欠き部４１ｂの方向からヨロイ２の先端部２２ａが装飾部材４の外部に抜け出ようとしても、テンプル３の基端部３１が装飾部材４の内部から抜け出ることができないため、第２切り欠き部４１ｂの幅が拡がっても装飾部材４がヨロイ２から抜け落ちることを防ぐことができる。
【００４３】
なお、テンプル３を閉じる場合は、テンプル３を開くときのように装飾部材４を回転させる事なく、そのままテンプル３を閉じれば、装飾部材４がテンプル３に連動し、テンプル３の基端部３１の内側に位置する第２切り欠き部４１ｂからヨロイ２の先端部２２ａが装飾部材４の外部に抜け出る。また、テンプル３から取り外す場合は、テンプル３を閉じて、ヨロイ２の先端部２２ａを装飾部材４の内部から抜け出させて、第１切り欠き部４１ａが設けられた側と反対の方向に装飾部材４を引っ張る。これにより、テンプル３の基端部３１が第１切り欠き部４１ａから外部に抜け出て、テンプル３から装飾部材４を取り外すことができる。
【００４４】
さらに好ましくは、図５（ｂ）に示すように、装飾部材４をテンプル３に取り付けた状態において、テンプル３の基端部３１が第１切り欠き部４１ａから第２切り欠き部４１ｂに延出されるようにする。テンプル３の基端部３１が第２切り欠き部４１ｂに延出すると、テンプル３とヨロイ２との両方が装飾部材４の内部に挿入されていなくても、装飾部材がテンプル３から抜け落ちることが防止される。テンプル３とヨロイ２との両方が装飾部材４の内部に挿入されていない場合とは、例えば、テンプル３が閉じられており、テンプル３の基端部３１だけが装飾部材４の内部に挿入されている場合である。このような場合に、装飾部材４がテンプル３から抜け落ちることが防止されるのは、第１の切り欠き部４１ａの方向からテンプル３が装飾部材４の外部に抜け出ようとしても、基端部３１の第２切り欠き部４１ｂに延出された部分が装飾部材４の内部から抜け出ることができないためである。また、第２の切り欠き部４１ｂの方向からテンプル３が装飾部材４の外部に抜け出ようとしても、基端部３１の第２切り欠き部４１ｂに延出されていない部分が装飾部材４の内部から抜け出ることができないためである。
【００４５】
図５（ｂ）に示すように、基端部３１を第２切り欠き部４１ｂに延出させる手法としては、例えば、第１切り欠き部４１ａを通じて基端部３１を装飾部材４の内部に挿入し、その後、基端部３１が第２切り欠き部４１ｂから延出するまで、装飾部材３をテンプル３の先端部３３側に引っ張る手法が挙げられる。
【図面の簡単な説明】
【００４６】
【図１】図１は、レンズが取り付けられた状態の眼鏡フレームの外観図である。
【図２】図２は、装飾部材がテンプルから取り外された状態の眼鏡フレームの外観図である。
【図３】図３は、装飾部材をテンプルに取り付けた状態のテンプルの基端部及びヨロイ付近の拡大図である。
【図４】図４は、装飾部材の外観図である。
【図５】図５は、変形例にかかる切り欠き部を具備する装飾部材を示す図である。
【図６】図６は、変形例にかかる切り欠き部のテンプルへの取り付け方法、及び、テンプルを開く際の手順を説明するための図である。
【図７】図７は、変形例にかかる切り欠き部を具備する装飾部材が取り付けられたテンプルの断面図である。
【符号の説明】
【００４７】
１  眼鏡フレーム
２  ヨロイ
２２ａ  先端部
３  テンプル
３１  基端部
３２  係止部
３３  先端部
４  装飾部材
４１  切り欠き部
７  ヨロイ
【図１】
0003120130.tif 000003
【図２】
0003120130.tif 000004
【図３】
0003120130.tif 000005
【図４】
0003120130.tif 000006
【図５】
0003120130.tif 000007
【図６】
0003120130.tif 000008
【図７】
0003120130.tif 000009